(57)【要約】【課題】  生体情報に基づく個人認証装置の利便性を高めるためには、生体情報を精度よく取得する必要がある。【解決手段】  生体情報取得装置１００において、生体情報取得部１１８は、生体情報を取得する。感度制御部１１２は、生体情報を取得するためのセンシング期間において、生体情報取得部１１８が生体情報を取得する感度を時間とともに変化させる。生体情報記録部１２６は、複数段階の感度に応じてそれぞれ取得された生体情報を記録する。感度制御部１１２は、所与の変化パターンに基づいて感度を変化させる。【選択図】  図２
2006068047.tif 000002
【特許請求の範囲】
【請求項１】
生体情報を取得する生体情報取得部と、
生体情報を取得するためのセンシング期間において、前記生体情報取得部が生体情報を取得する感度を時間とともに変化させる感度制御部と、
複数段階の感度に応じてそれぞれ取得された生体情報を記録する生体情報記録部と、を備え、
前記感度制御部は、予め定められた変化パターンに基づいて前記感度を変化させることを特徴とする生体情報取得装置。
【請求項２】
前記生体情報取得部は、光学式センサにより生体情報を取得し、
前記感度制御部は、生体に光を照射する光源の設定条件を変化させることにより前記光学式センサの感度を変化させることを特徴とする請求項１に記載の生体情報取得装置。
【請求項３】
前記生体情報取得部は、光学式センサにより生体画像として生体情報を取得し、
前記感度制御部は、前記生体画像を撮像する上での受光条件を変化させることにより前記光学式センサの感度を変化させることを特徴とする請求項１または２に記載の生体情報取得装置。
【請求項４】
前記生体情報取得部は、感圧式センサにより生体情報を取得し、
前記感度制御部は、前記感圧式センサの圧力に対する感度を変化させることを特徴とする請求項１に記載の生体情報取得装置。
【請求項５】
前記記録された生体情報のうちいずれかの生体情報を所定の選択条件に基づいて選択する生体情報選択部を更に備えることを特徴とする請求項１から４のいずれかに記載の生体情報取得装置。
【請求項６】
生体情報の所定部分について、前記記録された生体情報をのうちのいずれかの生体情報の前記所定部分を所定の選択条件に基づいて選択する部分選択部と、
前記部分選択部により選択された生体情報の各部を合成することにより新たな生体情報を生成する生体情報生成部と、
を更に備えることを特徴とする請求項１から５のいずれかに記載の生体情報取得装置。
【請求項７】
生体情報を取得するステップと、
生体情報を取得するための感度を切り換えるべきタイミングを所定のタイミングテーブルを参照して検出するステップと、
前記タイミングに至ったとき所定の感度切換テーブルを参照して前記感度を所定の大きさに切り換えるステップと、
前記切り換えられた感度にて生体情報を再度取得するステップと、
を備えることを特徴とする生体情報取得方法。
【発明の詳細な説明】
【技術分野】
【０００１】
この発明は、生体情報を取得するための技術に関する。
【背景技術】
【０００２】
本人確認の方法は、３つのカテゴリに大別できる。一つは、鍵やＩＤカードなどの所有物による認証である。しかし、所有物による認証は、紛失や盗難によりセキュリティが脅かされる。もう一つは、パスワードなどの知識による認証である。しかし、知識による認証にも、忘却や盗み見などにより、やはりセキュリティ上の問題がある。近年になって注目されているもう一つの認証方法は、指紋、掌紋、顔、虹彩、声紋などの生体情報による生体認証である。生体認証には、先に示した所有物や知識による認証に伴う「失うこと」によるセキュリティ上の懸念が相当に抑制される。また、ユーザが物や知識を「持つ必要」がないため、利便性が高い認証システムを提供しやすい。
【０００３】
生体情報に基づく個人認証装置は、これらの優位性から住宅や自動車の鍵のような所有物による認証に取って代わるものとして期待されている。また、近年では電子商取引が活発化しつつあるが、その認証方法の多くは知識による認証に基づく。この分野でも利便性と安全性の高い認証装置の登場が待ち望まれている。
【特許文献１】特開２００２−６２１０８号公報
【特許文献２】特開２００３−２０８６２０号公報
【発明の開示】
【発明が解決しようとする課題】
【０００４】
生体情報に基づく個人認証装置の利便性を高めるためには、生体情報を精度よく取得する必要がある。指紋認証を例にとれば、くっきりとした指紋もあれば、そうでない指紋もある。また、センサに対して指を押しつける力の強さは、常に一定となるわけではない。そのため、指紋の採取状況にかかわらず好適な指紋画像の取得を保証するための技術が必要である。
【０００５】
このような課題を解決するために、取得した指紋画像が好適でなければ、センサの設定を変更して指紋画像を再取得するという方法が考えられる。この場合、取得された指紋画像に応じてセンサの感度を変更するためのフィードバック制御回路が必要となる。これは、装置の複雑化、高コスト化につながりかねない。また、このようなセンサの感度を最適化するための処理に時間がかかれば、利便性の低下にもつながりかねない。
【０００６】
本発明はこのような状況に鑑みてなされたものであり、その目的は生体情報を好適に取得するための技術を提供することにある。
【課題を解決するための手段】
【０００７】
本発明のある態様における生体情報取得装置は、生体情報を取得するためのセンシング期間において、生体情報を取得する感度を時間とともに変化させ、複数段階の感度に応じてそれぞれ取得された生体情報を記録する。このとき、センサの感度は、所与の変化パターンに基づいて変化する。
【０００８】
この装置においては、生体情報を取得するための感度は予め定められたパターンにしたがって時間的に変化する。例えば、ユーザが生体情報の入力のために指をセンサに１度載せるだけで、複数の感度に対応した生体情報が取得される。また、生体情報の入力後に、これらの生体情報から個人を特定する上で好適な生体情報を選択すれば、シンプルな構成でありながら生体情報の取得精度を高めることができる。
【発明の効果】
【０００９】
本発明によれば、生体情報を好適に取得する上で効果がある。
【発明を実施するための最良の形態】
【００１０】
図１は、生体情報取得装置にて指紋を取得するときの態様を示す図である。
生体情報取得装置１００のユーザは、検出部１０２の上に指を添えて矢印に示す同図下方向に指を滑らせる。検出部１０２は、いわゆるラインセンサとして機能する。本実施例においては、検出部１０２は光学式センサにより形成される。検出部１０２から指紋に対して光が照射され、その反射光を検出することにより指紋画像が取得される。
【００１１】
検出部１０２は、５枚の光学式センサが縞状に並置されることにより形成される。各センサはそれぞれ独立に指紋画像を取得する。すなわち、５枚の光学式センサによりそれぞれ独自に指紋画像が取得される。本実施例においては、これら５枚の光学式センサはすべて同一種類のセンサであるとする。これらのセンサの感度は、ユーザが指紋を滑らせる際に充分に短い時間間隔で一様に変化し、その変化に同期して指紋画像が順次撮像される。各センサは、１回の撮像につき各センサの直上に位置する指紋の一部の画像（以下、「部分画像」とよぶ）を取得する。こうしてサンプリングされた部分画像をつなぎあわせることにより、指紋全体の画像が取得される。
なお、これら５枚の光学式センサにより同期的に撮像された各画像をつなぎあわせると、１回の撮像につき検出部１０２の直上における指紋の一部としての画像が取得される。変形例として、これら複数の光学式センサによって取得された検出部１０２の直上に位置する指紋の一部の画像を「部分画像」として定義してもよい。この場合には、撮像が実行されるごとに各光学式センサから取得された画像を合成処理することにより、部分画像が取得される。無論、検出部１０２は１枚の光学式センサによって構成されてもよい。
【００１２】
本実施例においては、感度は予め定められた３段階に制御される。高感度、中感度、低感度に各光学式センサの感度はサンプリング周期に応じて循環的に変化する。これら３段階の感度に応じて各センサからそれぞれ部分画像が取得される。これらの部分画像は互いに重複部分があってもよい。各段階の感度ごとに分類して部分画像をつなぎあわせることにより、各感度に対応した３枚分の指紋全体の撮像画像が生成される。
【００１３】
図２は、生体情報取得装置の機能ブロック図である。
ここに示す各ブロックは、ハードウェア的には、コンピュータのＣＰＵをはじめとする素子や機械装置で実現でき、ソフトウェア的にはコンピュータプログラム等によって実現されるが、ここでは、それらの連携によって実現される機能ブロックを描いている。したがって、これらの機能ブロックはハードウェア、ソフトウェアの組合せによっていろいろなかたちで実現できることは、当業者には理解されるところである。
【００１４】
生体情報取得装置１００は、ユーザインタフェース処理部１１０、感度制御部１１２、データ処理部１１４およびデータ格納部１１６を含む。
ユーザインタフェース処理部１１０は、ユーザインタフェース処理を担当する。感度制御部１１２は、検出部１０２の検出感度を制御する。データ格納部１１６は、各種データを格納する。データ処理部１１４は、ユーザインタフェース処理部１１０を介して入力された操作内容やユーザインタフェース処理部１１０から取得された生体情報に基づいて、データ格納部１１６に格納されるデータを処理する。
【００１５】
ユーザインタフェース処理部１１０は、生体情報取得部１１８と操作部１２４を含む。
生体情報取得部１１８は、検出部１０２によりユーザから生体情報として指紋情報を取得する。生体情報取得部１１８は、更に感度設定部１２２を含む。感度設定部１２２は、検出部１０２の感度を感度制御部１１２からの指示にしたがって設定する。操作部１２４は、ユーザからの操作を受け付ける。ここでいう操作とは、たとえば、生体情報取得開始指示や終了指示であってもよい。ユーザインタフェース処理部１１０は、その他、ユーザに各種情報を表示したり音声出力するための通知機能を備えてもよい。たとえば、生体情報の取得や認証の完了はＬＥＤや画面、音声などによりユーザに通知されてもよい。
【００１６】
データ格納部１１６は、制御条件記憶部１３８と生体情報記憶部１４０を含む。
制御条件記憶部１３８は、感度制御部１１２が感度設定部１２２の設定を制御するための制御条件となるデータを記憶する。感度制御部１１２は、この制御条件にしたがって予め定められたタイミングで予め定められた感度となるように感度設定部１２２に設定指示する。生体情報記憶部１４０は、生体情報取得部１１８から取得された生体情報を記憶する。
【００１７】
データ処理部１１４は、生体情報記録部１２６、生体情報選択部１３０および再構成処理部１３２を含む。
生体情報記録部１２６は、生体情報取得部１１８により取得された生体情報を生体情報記憶部１４０に記録する。感度制御部１１２は、生体情報取得部１１８の感度を複数段階に制御する。感度が３段階に制御される場合には、これらの感度に応じて３種類の指紋画像が取得される。生体情報記録部１２６は、検出部１０２の各センサから得られた各部分画像をつなぎあわせて各感度ごとに指紋画像を生体情報記憶部１４０に記録する。生体情報記録部１２６は、部分画像をつなぎあわせずに各感度ごとに分類して生体情報記憶部１４０に記録してもよい。
【００１８】
生体情報選択部１３０は、指紋画像を選択する。生体情報選択部１３０は、各感度ごとにつなぎ合わされた指紋画像のうち、所定の選択条件に従って好適な指紋画像を１枚選択する。生体情報記録部１２６は、選択された指紋画像のみを生体情報記憶部１４０に記録して、残りを生体情報記憶部１４０から削除することにより記憶データ量を節約してもよい。指紋画像は白と黒のモノクロ画像として取得される。生体情報選択部１３０は、指紋画像における白色領域と黒色領域の分離の程度に応じて、指紋画像を選択する。白と黒の境界線、いわゆる指紋のエッジがはっきりと映し出されている指紋画像は、個人の特徴を特定する上で好適だからである。具体的には、所定の閾値を設けて指紋画像を白色、黒色、灰色領域に分類し、灰色領域が最も少ない指紋画像を最適な指紋画像として選択してもよい。そのほかにも、指紋画像における指紋の凸部を示す隆線の幅と、凹部を示す隆線間の幅との比率に基づいて指紋画像を選択してもよい。指紋画像の選択方法については、その他さまざまな既知の方法により判定されてよい。
【００１９】
再構成処理部１３２は、部分画像ごとに最適な画像を選択して、好適な指紋画像を生成する。再構成処理部１３２は、更に部分選択部１３４と合成部１３６を含む。部分選択部１３４は、指紋画像を部分画像ごとに選択する。生体情報記録部１２６は、先述のように、部分画像をつなぎあわせずに各感度ごとに分類して生体情報記憶部１４０に記憶してもよい。部分選択部は、各感度について分類された部分情報について、所定部分ごとに好適な部分画像を選択する。合成部１３６は、部分選択部１３４により選択された各部分画像をつなぎ合わせることにより、指紋画像全体を生成する。この場合、いわゆる押しむら等部分的に画像が不適となっても全体としては好適な指紋画像を生成しやすくなる。
【００２０】
なお、データ格納部１１６は、生体情報取得部１１８により取得されデータ処理部１１４により処理された好適な指紋画像やその指紋画像から個人を特定するために抽出される特徴情報を、登録者情報として記憶してもよい。そして、被認証者から取得した指紋画像またはその特徴情報と、登録者情報を比較することにより個人認証を実行する認証部を含んだ個人認証装置として形成されてもよい。
【００２１】
図３は、感度制御部による感度制御を説明するためのタイムチャートである。
横軸は時間を示し、縦軸は光学式センサの光源の強度、すなわち、明るさを示す。光学式センサの光源からの照射光が変化すれば、指紋画像における白色領域と黒色領域の比率が変化する。すなわち、照射光の強さに応じて、光学式センサの感度を制御できる。そのほか、照射光の波長や照射の向きを変化させてもよい。あるいは、指紋画像の撮像時における受光条件を変化させてもよい。たとえば、受光した光量に応じて信号電流を出力するとき、信号電流の増幅率を制御することにより、受光に対する感度を変化させてもよい。また、感圧式センサの場合には、その圧力に対する感度を制御してもよい。たとえば、圧電素子などの圧力検出装置から検出された圧力に応じて信号電流を出力するとき、信号電流の増幅率を制御することにより、圧力に対する感度が制御されてもよい。
【００２２】
本実施例においては、光源の強度は、Ｉ１、Ｉ２およびＩ３の３段階に順次切り替えられる。生体情報の入力は、時刻ｔ１に開始される。生体情報の入力開始後、ユーザは検出部１０２上に指を置いたまますべらせる。そして、所定のサンプリング周期にて、検出部１０２の各光学センサはその直上に位置する部分画像を撮像する。このサンプリングの間隔は、ユーザが指をすべらせる期間、すなわち、生体情報取得期間に比して充分に短い時間に設定される。なお、生体情報の入力時においては検出部１０２自体がスクロールしてもよい。また、検出部１０２はラインセンサでなくエリアセンサとして機能してもよい。ここでは、生体情報記録部１２６は、感度ごとに部分画像を分類してそのまま生体情報記憶部１４０に記録する場合について説明する。
【００２３】
時刻ｔ１において、検出部１０２の各センサは、光源強度Ｉ１にてそれぞれ直上に位置する指紋の部分画像を撮像する。生体情報記録部１２６は、これらの部分画像を生体情報記憶部１４０に記録する。時刻ｔ２になると、各センサの光源強度はＩ２に変化する。感度制御部１１２は、制御条件記憶部１３８が記憶する制御条件データにしたがって、時刻ｔ２のタイミングにて光源強度をＩ２に設定するように感度設定部１２２に指示する。感度設定部１２２が光源強度Ｉ２に設定変更した後、生体情報取得部１１８は再び部分画像を撮像する。このときにも、検出部１０２の５つのセンサによって、５枚の部分画像が取得される。こうして、細切れの指紋画像がそれぞれ５枚のセンサによって取得される。これら５枚の部分画像は、光源強度Ｉ２に対応する部分画像として生体情報記憶部１４０に記録される。
【００２４】
図４は、検出部によって得られる指紋画像を示す模式図である。
同図は、図１に示した検出部１０２のうちの１枚の光学センサから取得される部分画像を示す。検出部１０２の各センサは、感度制御部１１２によって所定のタイミングで感度調整されながら直上の指紋の部分画像を撮像する。時刻ｔ１においては、部分画像として指紋の中央部が撮像されている。図３に示したように、時刻ｔ１においては、検出部１０２の光源強度は、３段階の強度のうちもっとも弱いＩ１に設定される。そのため、指紋画像における指紋の隆線は細く写される。
【００２５】
時刻ｔ２においては、時刻ｔ１よりも指が図１下方向に移動しているため、撮像される部分画像も、より指先に近い指紋の画像となる。また、時刻ｔ２においては、検出部１０２の光源強度は、３段階の強度の中間にあたるＩ２に設定される。そのため、時刻ｔ１の画像に比べて指紋の隆線がより太く映し出されている。時刻ｔ３においては、さらに指紋の隆線が太くかつ、指紋の先端に近いの部分画像が取得される。このようにして、検出部１０２の各光学センサからそれぞれの強度に対応した指紋の部分画像が取得される。
【００２６】
１．生体情報記録部１２６は３段階の感度ごとに部分画像をつなぎ合わせることにより３つの指紋画像を合成してもよい。この場合、生体情報選択部１３０は、合成された複数の指紋画像の中から好適な指紋画像を選択する。選択された指紋画像から端点や分岐点のような個人を特定するための特徴を抽出し、個人認証に用いてもよい。
２．生体情報記録部１２６は３段階の感度ごとに部分画像を感度ごとに分類してそのまま生体情報記憶部１４０に記録してもよい。この場合、部分選択部１３４は、各センサから得られた部分画像を比較し、各部ごとに、好適な部分画像を選択してもよい。合成部１３６はこれらの選択された部分画像をつなぎ合わせて指紋画像全体を合成してもよい。このときの合成画像は、部分ごとに画像取得時の設定感度が異なり得る。
【００２７】
図５は、感度の異なる複数のセンサを並置して検出部を形成するときの配置例を示す図である。
上記に示した実施例では、同一種類のセンサを複数枚並置して、それらの感度を時間に応じて変化させた。１度の生体情報入力操作によって複数段階の感度にそれぞれ対応して生体情報を取得するための別方法として、もともと感度が異なる複数の生体センサを並置させて検出部１０２を形成してもよい。
図５（ａ）は、感度の異なる２種類のセンサを縞状に配置することにより検出部を形成する態様を示す図である。一方、図５（ｂ）は、感度の異なる２種類のセンサを格子状に配置することにより検出部を形成する態様を示す図である。いずれの図においても、斜線を引いて示すセンサと、斜線のひかれていないセンサの感度は異なる。このように、感度の異なるセンサを交互に配置させれば、複数感度に対応した指紋画像を１度の生体情報入力操作によって取得できる。この場合にも、それぞれの感度のセンサから取得される指紋画像のうち好適な指紋画像が選択されてもよい。あるいは、部分画像ごとに好適な画像が選択されてもよい。そして、このように選択された部分画像を合成することにより、単一種類のセンサにより取得される指紋画像よりも好適に指紋画像を生成することができる。
【００２８】
感度は、いわゆる湿潤指と乾燥指にそれぞれ対応して設定されてもよい。すなわち、湿潤指の時には、密着範囲が広い場合でも良質の画像が得られるセンサ、乾燥指の場合には、密着範囲が狭い場合でも良質の画像が得られるセンサによって指紋画像を取得すれば、指の湿り気についてのばらつきにかかわらず、良好に指紋画像を取得できる。
【００２９】
図６は、従来のセンサについて、センサにかかる圧力とセンサの適正感度範囲の関係を示す模式図である。
図６（ａ）は、低い圧力について適正化されたセンサの、適正感度範囲と圧力の関係を示す模式図である。図６（ｂ）は、高い圧力について適正化されたセンサの、適正感度範囲と圧力の関係を示す模式図である。以下、低い圧力に適正化されたセンサのことを、「低圧力センサ」とよび、高い圧力に適正化されたセンサのことを、「高圧力センサ」とよぶ。
【００３０】
図６（ａ）においては、センサにかかる圧力（以下、「押圧」とよぶ）がＰ１からＰ２の範囲内であれば、適正に指紋画像が取得される。いいかえれば、適正感度範囲Ｓ１からＳ２に収まる。押圧がＰ１以下であれば、指紋画像における指紋の隆線が薄くなってしまい、指紋の特徴を抽出しがたくなる。一方、圧力がＰ２以上であれば、指紋画像における指紋の隆線が太くなってしまい、やはり指紋の特徴を抽出しがたくなる。図６（ａ）に示す、低圧力センサの場合、ユーザはＰ１からＰ２の範囲の圧力でセンサを押下すれば、良好に指紋画像が取得される。
【００３１】
図６（ｂ）においては、押圧がＰ３からＰ４の範囲内であれば、適正に指紋画像が取得される。このセンサは高圧力センサであるため、Ｐ１よりもＰ３は大きく、Ｐ２よりもＰ４は大きい。押圧がＰ３以下であれば、指紋画像における指紋の隆線が薄くなってしまい、指紋の特徴を抽出しにくくなる。一方、押圧がＰ４以上であれば、指紋画像における指紋の隆線が太くなりすぎてしまい、やはり指紋の特徴を抽出しがたくなる。図６（ｂ）に示す、高圧力センサの場合、ユーザはＰ３からＰ４の範囲の圧力でセンサを押下すれば、良好に指紋画像が取得される。
【００３２】
このように、低圧力センサは、高圧力センサに比べて押圧が小さいときでも良好な指紋画像を取得できるが、押圧が大きいときの精度に劣る。一方、高圧力センサは、押圧が大きいときの特性にすぐれるが、小さいときの精度は低圧力センサに劣る。
【００３３】
図７は、低圧力センサと高圧力センサを組み合わせたときの押圧と適正感度範囲の関係を示す模式図である。
同図においては、低圧力センサの適正感度範囲に対応する押圧であるＰ１からＰ２と、高圧力センサの適正感度範囲に対応する押圧であるＰ３からＰ４が、重なるするように設定される。そのため、結果として押圧Ｐ１からＰ４の範囲に対応して適正感度範囲が設定されることになる。したがって、高圧力センサあるいは低圧力センサのみによって指紋画像を取得するよりも、広い範囲の押圧に対応できる。
本実施例として示したようにセンサの感度を時間に応じて変化させれば、このようにより広い範囲の押圧に対応できる。また、図５に関連して説明したように、感度が異なる複数のセンサを並置させることによっても、より広い範囲の押圧に対応できる。
【００３４】
以上、本実施例に示した生体情報取得装置１００によれば、さまざまな指紋取得状況において好適に指紋画像を取得しやすくなる。指紋画像を取得して、画像の品質を判断し、センサの感度を調整するための制御回路を必要としないため、安価で簡易に生体情報取得装置１００を構成できる。また、再構成処理部１３２が部分画像単位で好適な画像を選択すれば、部分的な押むらによる濃度のばらつきが生じてもより指紋画像を好適に取得しやすくなる。ユーザにとっては１回の生体情報入力操作をすれば、複数の感度に対応して生体情報が採取され、そのあとに生体情報選択部１３０や再構成処理部１３２による判定処理が実行されることになる。そのため、フィードバック制御を行う場合とくらべて、ユーザは長い時間指を検出部１０２に載置しつづけなくても済むため、ユーザインタフェースにも優れる。
【００３５】
以上、実施の形態をもとに本発明を説明した。なお本発明はこの実施の形態に限定されることなく、そのさまざまな変形例もまた、本発明の態様として有効である。
【００３６】
なお、本実施例においては指紋について説明したが、本発明の範囲はこれに限られるものではない。たとえば、掌紋や静脈、顔認証などのように画像情報として生体情報を取得するときにも、このような複数の感度に基づいてそれぞれ生体情報を取得してもよい。また、声紋のような音声情報など、画像情報以外の形態にて生体情報を取得する場合にも本発明は同様に応用可能である。
【００３７】
生体情報取得装置の設置場所やユーザに応じて、生体情報の取得環境には偏りが生じることも考えられる。この装置は、生体情報を好適に取得できた時の感度を記録し、その記録情報に基づいて、好適に生体情報を取得しやすい感度を中心に可変させるべき感度範囲を設定してもよい。また、このような制御によれば、センサ表面の汚れなどにより感度が落ちてきても、自律的に可変感度範囲が変化するので、経年変化に対応しやすくなる。
【図面の簡単な説明】
【００３８】
【図１】生体情報取得装置にて指紋を取得するときの態様を示す図である。
【図２】生体情報取得装置の機能ブロック図である。
【図３】感度制御部による感度制御を説明するためのタイムチャートである。
【図４】検出部によって得られる指紋画像を示す模式図である。
【図５】感度の異なる複数のセンサを並置して検出部を形成するときの配置例を示す図である。図５（ａ）は、感度の異なる２種類のセンサを縞状に配置することにより検出部を形成する態様を示す図である。図５（ｂ）は、感度の異なる２種類のセンサを格子状に配置することにより検出部を形成する態様を示す図である。
【図６】従来のセンサについて、センサにかかる圧力とセンサの適正感度範囲の関係を示す模式図である。図６（ａ）は、低い圧力について適正化されたセンサの、適正感度範囲と圧力の関係を示す模式図である。図６（ｂ）は、高い圧力について適正化されたセンサの、適正感度範囲と圧力の関係を示す模式図である。
【図７】低圧力センサと高圧力センサを組み合わせたときの押圧と適正感度範囲の関係を示す模式図である。
【符号の説明】
【００３９】
１００  生体情報取得装置、１０２  検出部、１１０  ユーザインタフェース処理部、１１２  感度制御部、１１４  データ処理部、１１６  データ格納部、１１８  生体情報取得部、１２２  感度設定部、１２４  操作部、１２６  生体情報記録部、１３０  生体情報選択部、１３２  再構成処理部、１３４  部分選択部、１３６  合成部、１３８  制御条件記憶部、１４０  生体情報記憶部。
【図１】
2006068047.tif 000003
【図２】
2006068047.tif 000004
【図３】
2006068047.tif 000005
【図４】
2006068047.tif 000006
【図５】
2006068047.tif 000007
【図６】
2006068047.tif 000008
【図７】
2006068047.tif 000009